(57)【要約】【課題】  アルバムを構成でき、且つそのページの跨り性が好ましく、且つめくることが順調的であり、且つ全体性質が好適であり、アルバム本体に平たくすることができ、その強度を強化可能なアルバムにおけるページの構造を提供する。【解決手段】  底層紙１１と、底層紙１１に貼り付けられ、底層紙１１との中間箇所に圧着溝１３が加工形成され、その圧着溝１３を介して底層紙１１と二つの半分部分となるように折り曲げて合わせるように設置される内層紙１２とを有し、二葉の隣り合うアルバム・ページ１０の間に強化層１４を配置する。【選択図】      図１０
0003102888.tif 000002
【実用新案登録請求の範囲】
【請求項１】
底層紙と、
前記底層紙に貼り付けられ、前記底層紙との中間箇所に圧着溝が加工形成され、その圧着溝を介して前記底層紙と二つの半分部分となるように折り曲げて合わせるように設置される内層紙とを有し、
二葉の隣り合うアルバム・ページの間に強化層を配置し、その強化層を二葉の隣り合うアルバム・ページの底層紙同士の間に貼り付けることを特徴とするアルバムにおけるページの構造。
【請求項２】
前記内層紙は写真を紙材に貼り付けてからゲル膜を付着し、且つ高熱高圧処理を実行することによって形成されるものであることを特徴とする請求項１に記載のアルバムにおけるページの構造。
【考案の詳細な説明】
【技術分野】
【０００１】
本考案は、アルバムにおけるページの構造に係わり、特にアルバムを構成でき、且つそのページの跨り性が好ましく、且つめくることが順調的であり、且つ全体性質が好適であり、アルバム本体に平たくならせることができ、その強度を強化可能なアルバムにおけるページの構造に関する考案である。
【背景技術】
【０００２】
従来のアルバムは、カバーと複数葉のアルバム・ページ同士からなり、それらのアルバム・ページ同士がカバーの内部に配置され、写真をその上に配置に供することができる。図１と図２に示すように、従来のアルバム・ページ１０ａには底層紙１１ａと二枚の内層紙同士１２ａからなり、底層紙１１ａは方形に形成される片状体であり、その底層紙１１ａの中間部に機械加工によって圧着溝１３ａが形成され、その圧着溝１３ａによって繊維を破壊するによりその圧着溝１３ａを折り曲げられるようにし、また、二葉の内層紙同士１２ａが底層紙１１ａに貼り付けられ、写真が底層紙１１ａに配置できるようになる。
【０００３】
しかしながら、従来のアルバム・ページ１０ａは、その二枚の内層紙同士１２ａの間の圧着溝１３ａに対応する箇所にスリット１４ａが形成され、一枚の写真が二葉の内層紙同士１２ａに配置される場合に、二葉の内層紙同士１２ａの間のスリット１４ａが写真を二つの半分部分になるように隔たり、写真の全体性を保持しにくく、写真はページ跨り性が悪くなることがある。
【０００４】
図３と図４に示すのは、本考案の出願人の前に出願した台湾出願第９０２０２３７８号の“一体式アルバム・ページの構造”であり、アルバム・ページ２０ａには底層紙２１ａと内層紙２２ａとを有し、内層紙２２ａが底層紙２１ａに貼り付けられ、内層紙２２ａと底層紙２１ａの厚さがそれぞれ０．４ｍｍと０．６ｍｍに設定され、且つ底層紙２１ａと内層紙２２ａとの中間部に圧着溝２３ａが形成され、底層紙２１ａと内層紙２２ａとが圧着溝２３ａを介して折り曲げ合い、このようにすることによって一体式アルバム・ページを形成する。複数葉のアルバム・ページ２０ａを一体になるように組立てることができ、複数葉のアルバム・ページ同士２０ａにゲルを塗布してから、隣り合う底層紙２１ａ同士の外表面部を一体になるように貼り付け加工し、また、重圧処理を実施することによって貼り付け状態を緊密的にならせるように処理する。それらの一体になるように貼り付け結合されるアルバム・ページ同士２０ａがカバー２４ａの内部に配置され、且つアルバム・ページ２０ａとカバー２４ａとを適当に貼り付けることによって完璧なアルバムを形成させることができる。
【０００５】
従来のアルバム・ページ２０ａは、底層紙２１ａと内層紙２２ａに一緒に圧着溝２３ａを形成するように加工し、その内層紙同士２２ａが圧着溝２３ａに対応する箇所にはスリットを形成することはないので、写真の全体性を保持でき、写真にページ跨り性を有させることが出来る。
【０００６】
しかしながら、従来のアルバム・ページ１０ａ、２０ａは実際に使用される場合に、その強度が弱いため、アルバム本体の平たさを確保できなく、且つアルバム・ページ１０ａ，２０ａの品質を劣化させることもある。
【０００７】
そのため、前記の説明から分かるように、前記のアルバム・ページ構造は製造と実際に使用される場合に明らかにその不便さと課題を有し、至極改善される必要がある。
【考案の開示】
【考案が解決しようとする課題】
【０００８】
前記のそれぞれの課題を解消するために、本考案は、アルバムの全体性を保持でき、写真にページ跨り性を有させ、且つ搬送過程中に前記底層紙における圧着溝の部分がつぶされることはなく、搬送に便利であり、且つアルバムがめくられる場合に、底層紙の弾力によって底層紙と内層紙とが上方へ引き上げられることをなくすことができ、且つ底層紙と内層紙とが変形しにくく、平たさが好ましく、且つ強度を効果的に強化させることができ、アルバム本体の平たさを確保できる、アルバムにおけるページの構造を提供することをその主要な解決しようとする課題とする。
【課題を解決するための手段】
【０００９】
前記の目的を達成するために、本考案によるアルバムにおけるページの構造は、底層紙と、前記底層紙に貼り付けられ、前記底層紙との中間箇所に圧着溝が加工形成され、その圧着溝を介して前記底層紙と二つの半分部分となるように折り曲げて合うように設置される内層紙とを有し、二葉の隣り合うアルバム・ページの間に強化層を配置し、その強化層を二葉の隣り合うアルバム・ページの底層紙同士の間に貼り付けることを特徴とする、アルバムにおけるページの構造を提供する。
【００１０】
本考案の特徴と技術内容とをさらに詳しく解明するために、以下に添付図面を参照しながら、本考案の好適な実施の形態を詳細的で具体的に説明するが、それらの説明による具体的な構造は単に本考案の実施可能な実施の形態に過ぎず、本考案を狭義的に定義するものではないことは言うまでもない。
【考案を実施するための最良の形態】
【００１１】
図５ないし図８は本考案のアルバムにおけるページの構造の好適な実施の形態を示す説明図であり、アルバム・ページ１０にはそれぞれ底層紙１１と内層紙１２とを含んでおり、底層紙１１と内層紙１２とが二葉の対応しあう方形に形成される板体（図５参照）であり、内層紙１２は写真を紙材に貼り付けてからゲル膜を付着し、且つ高熱高圧処理を実行することによって形成されるものであり、反射と気泡の生成することを防止でき、また、内層紙１２が底層紙１１に貼り付けられ（図６参照）、それから底層紙１１と内層紙１２との中間部に機械加工によって圧着溝１３を形成させ、その圧着溝１３によって繊維を破壊し、底層紙１１と内層紙１２とに、圧着溝１３を介して二つの半分部分を形成させるように折り曲げて合わせることができる（図７と図８参照）。
【００１２】
本考案は、さらに、二葉の隣り合うアルバム・ページ同士１０の間に強化層１４を配置し、その強化層１４が二葉の隣り合うアルバム・ページ同士１０の底層紙同士１１の間に貼り付けられ、即ち、その強化層１４が両面に粘着ベルを塗布することによって二葉の隣り合うアルバム・ページ同士１０の底層紙１１の外表面に配置されるものであり、前記のそれぞれの構成によって本考案のアルバムにおけるページの構造を形成する。
【００１３】
図８と図９に示すように、複数葉のアルバム・ページ同士１０を一体になるように組立てることができ、それは複数葉のアルバム・ページ同士１０を強化層１４を介して一体になるように貼り付け結合し、それから重圧処理を実行することによってその粘着品質を向上し、図１０に示すように、それらの一体になるように貼り付けられるアルバム・ページ同士１０がカバー２０の内部に配置され、アルバム・ページ同士１０とカバー２０とを適当に粘着結合することによって完璧なアルバムを形成することができる。
【００１４】
本考案は、底層紙１１と内層紙１２とを圧着溝１３を形成するように一緒に加工するので、その内層紙１２の圧着溝１３に対応する部位にはスリットを形成することはないので、写真の全体性を保持でき、写真にページ跨り性を付与することができ、また、底層紙１１と内層紙１２とが予め一体になるように粘着されるので、内層紙１２の厚さが底層紙１１をサポートする機能を提供でき、搬送過程中に、底層紙１１の圧着溝１３の部分がつぶされる虞がなく、搬送に便利である。
【００１５】
また、本考案の底層紙１１の中間部に圧着溝１３が形成されるので、アルバムのページをめくる際に、底層紙１１の弾力によって底層紙１１と内層紙１２とが上方へ引きあがってしまうようになることをなくすことができ、ページのめくることを順調にならせることができ、且つ底層紙１１と内層紙１２に変形しにくく設定することができるので、アルバムの平たさを確保でき、その利用価値を向上することが出来る。
【００１６】
また、本考案は、二葉の隣り合うアルバム・ページ同士１０の間に強化層１４が配置されるので、効果的にアルバム・ページ１０の強度を向上でき、アルバム本体の平たさをさらに向上することが出来る。
【産業上の利用可能性】
【００１７】
本考案のアルバムにおけるページの構造による場合、アルバムの全体性を保持でき、写真にページ跨り性を有させ、且つ搬送過程中に前記底層紙における圧着溝の部分がつぶされることはなく、搬送に便利であり、且つアルバムがめくられる場合に、底層紙の弾力によって底層紙と内層紙とが上方へ引き上げられることをなくすことができ、且つ底層紙と内層紙とが変形しにくく、平たさが好ましく、且つ強度を効果的に強化させることができ、アルバム本体の平たさを確保できる、アルバムにおけるページの構造を提供できる。
【００１８】
また、前記に具体的に説明した構造は、単に本考案の実施可能な実施の形態に過ぎなく、本考案の主張範囲を狭義的に制限するものではなく、本考案の明細書と図面に開示される技術の要旨に基づいて実施される相同効果の改造や変更や一部転用なども本考案の主張範囲内に納入されるべきことは言うまでもない。
【図面の簡単な説明】
【００１９】
【図１】従来のアルバムの構造を示す断面図である。
【図２】図１におけるＡ部分を示す拡大図である。
【図３】他の種の従来のアルバムの構造を示す断面図である。
【図４】図３におけるＡ部分を示す拡大図である。
【図５】本考案の底層紙と内層紙とを示す分解斜視図である（折り畳まれる前の状態）。
【図６】本考案の底層紙と内層紙とを示す組立斜視図である（折り畳まれる前の状態）。
【図７】本考案を示す分解斜視図である。
【図８】本考案を示す断面図である。
【図９】図８におけるＡ部分を示す拡大図である。
【図１０】本考案をアルバムに組み立てられる場合を示す斜視図である。
【符号の説明】
【００２０】
１０  アルバム・ページ
１１  底層紙
１２  内層紙
１３  圧着溝
１４  強化層
２０  カバー
【図１】
0003102888.tif 000003
【図２】
0003102888.tif 000004
【図３】
0003102888.tif 000005
【図４】
0003102888.tif 000006
【図５】
0003102888.tif 000007
【図６】
0003102888.tif 000008
【図７】
0003102888.tif 000009
【図８】
0003102888.tif 000010
【図９】
0003102888.tif 000011
【図１０】
0003102888.tif 000012